(57)【要約】【課題】ユーザが通話中に表示面を確認できる状態にせずとも、情報が確認可能な携帯端末装置を提供する。【解決手段】携帯電話機１は、文字情報を触覚情報として出力する触覚情報出力部である振動アクチュエータ８と、振動アクチュエータ８の制御を行う駆動制御部２２と、通話中に、情報通知の契機を検出する契機検出部２１と、を備える。ここで、駆動制御部２２は、契機検出部２１により契機が検出されたことに基づいて、情報内容を表す文字を通知するように振動アクチュエータ８を制御する。たとえば、情報内容は、電子メールの内容を含み得る。この場合、契機検出部２１は、電子メールの受信を検出する。【選択図】図６
2014072558.tif 000002
【特許請求の範囲】
【請求項１】
通話機能を有する携帯端末装置において、
文字情報を触覚情報として出力する触覚情報出力部と、
前記触覚情報出力部の制御を行う出力制御部と、
通話中に、情報通知の契機を検出する契機検出部と、を備え、
前記出力制御部は、前記契機検出部により前記契機が検出されたことに基づいて、情報内容を表す文字を通知するように前記触覚情報出力部を制御する、
ことを特徴とする携帯端末装置。
【請求項２】
請求項１に記載の携帯端末装置において、
前記触覚情報出力部は、マトリクス状に配置された複数の振動素子を有し、これら複数の振動素子によりユーザに触れられる接触面が形成される振動アクチュエータを含み、
前記出力制御部は、前記情報内容を表す文字が前記各振動素子の振動の有無により前記接触面に形成されるように前記振動アクチュエータを駆動する、
ことを特徴とする携帯端末装置。
【請求項３】
請求項１または２に記載の携帯端末装置において、
前記情報内容は、電子メールの内容を含み、
前記契機検出部は、前記電子メールの受信を検出する、
ことを特徴とする携帯端末装置。
【請求項４】
請求項１または２に記載の携帯端末装置において、
前記情報内容は、スケジュール管理機能において予定日時とともに設定されるスケジュールの内容を含み、
前記契機検出部は、前記予定日時の到来を検出する、
ことを特徴とする携帯端末装置。
【請求項５】
請求項１または２に記載の携帯端末装置において、
前記情報内容は、アラーム機能において報知時刻とともに設定されるメモの内容を含み、
前記契機検出部は、前記報知時刻の到来を検出する、
ことを特徴とする携帯端末装置。
【請求項６】
請求項１ないし５の何れか一項に記載の携帯端末装置において、
報知動作を行う報知部と、
前記触覚情報出力部による前記情報内容の通知に先立って前記報知部を作動させる報知制御部と、をさらに備える、
ことを特徴とする携帯端末装置。
【請求項７】
請求項１ないし５の何れか一項に記載の携帯端末装置において、
前記出力制御部は、前記情報内容の通知が繰り返されるように、前記触覚情報出力部を制御する、
ことを特徴とする携帯端末装置。
【請求項８】
請求項７に記載の携帯端末装置において、
報知動作を行う報知部と、
前記触覚情報出力部による前記情報内容の各通知の間に前記報知部を作動させる報知制御部と、をさらに備える、
ことを特徴とする携帯端末装置。
【請求項９】
請求項１ないし８の何れか一項に記載の携帯端末装置において、
前記情報内容が通知条件を満たすか否かを判定する条件判定部を、さらに備え、
前記出力制御部は、前記条件判定部により前記情報内容が前記通知条件を満たすと判定された場合に、前記情報内容の通知のため前記触覚情報出力部を作動させる、
ことを特徴とする携帯端末装置。
【請求項１０】
請求項１ないし９の何れか一項に記載の携帯端末装置において、
物体の近接を検出する近接検出部を、さらに備え、
前記出力制御部は、前記近接検出部が物体の近接を検出している場合に、前記情報内容の通知のため前記触覚情報出力部を作動させる、
ことを特徴とする携帯端末装置。
【請求項１１】
通話機能を有するとともに、文字情報を触覚情報として出力する触覚情報出力部を備える携帯端末装置のコンピュータに、
通話中に、情報通知の契機を検出する機能と、
前記契機が検出されたことに基づいて、前記情報内容を表す文字を通知するように前記触覚情報出力部を制御する機能と、
を付与するプログラム。
【請求項１２】
通話機能を有するとともに、文字情報を触覚情報として出力する触覚情報出力部を備える携帯端末装置の情報通知方法であって、
通話中に、情報通知の契機を検出するステップと、
前記契機が検出されたことに基づいて、前記情報内容を表す文字を通知するように前記触覚情報出力部を制御するステップと、
を含む情報通知方法。
【発明の詳細な説明】
【技術分野】
【０００１】
本発明は、携帯電話機、ＰＤＡ（Personal Digital Assistant）、タブレットＰＣ（Tablet PC）、電子書籍端末等の携帯端末装置に関する。また、本発明は、かかる携帯端末装置に用いて好適な、プログラムおよび情報通知方法に関する。
【背景技術】
【０００２】
従来、携帯電話機では、電子メールが受信されると、音、振動等により報知が行われる（特許文献１参照）。受信を知ったユーザは、受信した電子メールを開封するための所定の操作を行うことにより、その電子メールの内容、即ち、発信先（発信者名、メールアドレス等）、タイトル、本文等を表示面に表示させることができる。
【先行技術文献】
【特許文献】
【０００３】
【特許文献１】特開平０８−３３９７３３号公報
【発明の概要】
【発明が解決しようとする課題】
【０００４】
通話中に電子メールが受信された場合には、ユーザは、電子メールの受信を知ることはできるものの、携帯電話機を耳から離して表示面を見られる状態にしなければ、電子メールの内容までは知ることができない。
【０００５】
また、スケジュール管理機能を備える携帯電話機では、スケジュールを設定する際にアラームの設定がなされた場合、予定日時が到来すると、音、振動等により報知が行われるとともに、スケジュールの内容（件名、日時、場所等）が表示面に表示される。通話中に予定日時が到来した場合には、通話中に電子メールが受信された場合と同様、ユーザは、表示面を見られる状態にしなければ、スケジュールの内容を知ることができない。
【０００６】
そこで、本発明は、ユーザが通話中に表示面を確認できる状態にせずとも、情報が確認可能な携帯端末装置、プログラムおよび情報通知方法を提供することを目的とする。
【課題を解決するための手段】
【０００７】
本発明の第１の態様は、通話機能を有する携帯端末装置に関する。本態様に係る携帯端末装置は、文字情報を触覚情報として出力する触覚情報出力部と、前記触覚情報出力部の制御を行う出力制御部と、通話中に、情報通知の契機を検出する契機検出部と、を備える。ここで、前記出力制御部は、前記契機検出部により前記契機が検出されたことに基づいて、情報内容を表す文字を通知するように前記触覚情報出力部を制御する。
【０００８】
本態様に係る携帯端末装置において、前記触覚情報出力部は、マトリクス状に配置された複数の振動素子を有し、これら複数の振動素子によりユーザに触れられる接触面が形成される振動アクチュエータを含むような構成とされ得る。この場合、前記出力制御部は、前記情報内容を表す文字が前記各振動素子の振動の有無により前記接触面に形成されるように前記振動アクチュエータを駆動する。
【０００９】
本態様に係る携帯端末装置において、前記情報内容は、電子メールの内容を含み得る。この場合、前記契機検出部は、前記電子メールの受信を検出する。
【００１０】
あるいは、前記情報内容は、スケジュール管理機能において予定日時とともに設定され
るスケジュールの内容を含み得る。この場合、前記契機検出部は、前記予定日時の到来を検出する。
【００１１】
あるいは、前記情報内容は、アラーム機能において報知時刻とともに設定されるメモの内容を含み得る。この場合、前記契機検出部は、前記報知時刻の到来を検出する。
【００１２】
本態様に係る携帯端末装置は、報知動作を行う報知部と、前記触覚情報出力部による前記情報内容の通知に先立って前記報知部を作動させる報知制御部と、をさらに備えるような構成とされ得る。
【００１３】
本態様に係る携帯端末装置において、前記出力制御部は、前記情報内容の通知が繰り返されるように、前記触覚情報出力部を制御するような構成とされ得る。
【００１４】
このような構成とした場合、携帯端末装置は、報知動作を行う報知部と、前記触覚情報出力部による前記情報内容の各通知の間に前記報知部を作動させる報知制御部と、をさらに備えるような構成とされ得る。
【００１５】
本態様に係る携帯端末装置は、前記情報内容が通知条件を満たすか否かを判定する条件判定部を、さらに備えるような構成とされ得る。この場合、前記出力制御部は、前記条件判定部により前記情報内容が前記通知条件を満たすと判定された場合に、前記情報内容の通知のため前記触覚情報出力部を作動させる。
【００１６】
本態様に係る携帯端末装置は、物体の近接を検出する近接検出部を、さらに備えるような構成とされ得る。この場合、前記出力制御部は、前記近接検出部が物体の近接を検出している場合に、前記情報内容の通知のため前記触覚情報出力部を作動させる。
【００１７】
本発明の第２の態様に係るプログラムは、通話機能を有するとともに、文字情報を触覚情報として出力する触覚情報出力部を備える携帯端末装置のコンピュータに、通話中に、情報通知の契機を検出する機能と、前記契機が検出されたことに基づいて、前記情報内容を表す文字を通知するように前記触覚情報出力部を制御する機能と、を付与する。
【００１８】
本発明の第３の態様は、通話機能を有するとともに、文字情報を触覚情報として出力する触覚情報出力部を備える携帯端末装置の情報通知方法に関する。本態様に係る情報通知方法は、通話中に、情報通知の契機を検出するステップと、前記契機が検出されたことに基づいて、前記情報内容を表す文字を通知するように前記触覚情報出力部を制御するステップと、を含む。
【発明の効果】
【００１９】
本発明によれば、ユーザが通話中に表示面を確認できる状態にせずとも、情報が確認可能な携帯端末装置、プログラムおよび情報通知方法を提供することができる。
【００２０】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２１】
【図１】実施の形態に係る、携帯電話機の構成を示す図である。
【図２】実施の形態に係る、振動アクチュエータの構成を示す図である。
【図３】実施の形態に係る、携帯電話機の全体構成を示すブロック図である。
【図４】実施の形態に係る、振動パターンテーブルの構成および振動アクチュエータの振動面に文字が形成される様子を示す図である。
【図５】実施の形態に係る、メール内容通知処理の処理手順を示すフローチャートである。
【図６】実施の形態に係る、振動アクチュータによって、電子メールのタイトルが通知される様子を示す図である。
【図７】変更例１に係る、メール内容通知処理の処理手順を示すフローチャートである。
【図８】変更例１に係る、振動アクチュータによって、電子メールのタイトルが繰り返し通知される様子を示す図である。
【図９】変更例２に係る、携帯電話機の全体構成を示すブロック図である。
【図１０】変更例２に係る、電話帳テーブルの構成を示す図である。
【図１１】変更例２に係る、メール内容通知処理の処理手順を示すフローチャートである。
【図１２】変更例３に係る、メール内容通知処理の処理手順を示すフローチャートである。
【図１３】変更例４に係る、スケジュール内容通知処理について説明するための図である。
【図１４】変更例５に係る、メモ内容通知処理について説明するための図である。
【発明を実施するための形態】
【００２２】
以下、本発明の実施形態について、図面を参照して説明する。
【００２３】
図１は、携帯電話機１の構成を示す図である。図１（ａ）および（ｂ）は、それぞれ、携帯電話機１の正面図および背面図である。
【００２４】
以下、説明の便宜上、図１に示すように、キャビネット２の長手方向を上下方向と定義し、キャビネット２の短手方向を左右方向と定義する。
【００２５】
携帯電話機１は、キャビネット２と、表示面３と、マイクロフォン４と、通話スピーカ５と、キー操作部６と、外部スピーカ７と、振動アクチュエータ８と、近接センサ９とを備えている。
【００２６】
キャビネット２は、正面から見て、ほぼ長方形状を有する。キャビネット２の正面に、後述する表示部１３の表示面３が配されている。表示面３には、各種の画像（画面）が表示される。
【００２７】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、音声が出力される。出力された音声は、キャビネット２の正面に形成された出力孔５ａを通じて外部に放出される。
【００２８】
キャビネット２の正面には、キー操作部６が設けられている。キー操作部６は、複数の操作キーから構成されている。各操作キーには、実行中のプログラムを操作するための各種の機能が割り当てられる。
【００２９】
キャビネット２の内部には、外部スピーカ７が配されている。キャビネット２の背面には、外部スピーカ７に対応する出力孔７ａが形成されている。外部スピーカ７から出力された音（音声、報知音等）は、出力孔７ａを通じて外部に放出される。
【００３０】
キャビネット２の内部には、さらに、上部に振動アクチュエータ８が配されている。図
２に振動アクチュエータ８の構成を示す。図２（ａ）は、振動アクチュエータ８の構成を示す斜視図である。図２（ｂ）は、図２（ａ）のＡ−Ａ´断面図である。図２（ｃ）および（ｄ）は、振動アクチュエータ８を構成する振動素子５１の動作について説明するための図である。
【００３１】
振動アクチュエータ８は、上面が開口するケース５０と、ケース５０内に、マトリクス状に配置された複数の丸棒状の振動素子５１により構成されている。振動アクチュエータ８は、たとえば、上下８列、左右６列に並べられた４８個の振動素子５１により構成される。マトリクス状に並ぶ振動素子５１の先端により、振動アクチュエータ８の振動面Ｓが形成される。
【００３２】
図２（ｂ）に示すように、振動素子５１は、シム材５１ａと、シム材５１ａの両側に装着された第１圧電素子５１ｂおよび第２圧電素子５１ｃとを備える。
【００３３】
第１圧電素子５１ｂおよび第２圧電素子５１ｃには、それぞれ、正の電圧および負の電圧からなり互いに逆の位相となる交流電圧が印加される。交流電圧が印加されると、図２（ｃ）に示すような、第１圧電素子５１ｂが縮み、第２圧電素子５１ｃが伸びる動作と、図２（ｄ）に示すような、第１圧電素子５１ｂが伸び、第２圧電素子５１ｃが縮む動作とが繰り返される。これにより、振動素子５１が左右方向に振動する。
【００３４】
図１に戻り、キャビネット２の背面には、振動アクチュエータ８に対応して開口部８ａが形成されている。開口部８ａを通じて、マトリクス状の振動素子５１が外部に露出する。振動アクチュエータ８の振動面Ｓは、キャビネット２の背面とほぼ面一となる。ユーザは、図１（ｂ）に示すように、キャビネット２の背面を保持した手の人差し指で振動アクチュエータ８の振動面Ｓに触れる。
【００３５】
通話スピーカ５の隣には、近接センサ９が配されている。近接センサ９は、たとえば、静電容量式の近接センサである。近接センサ９は、物体（ユーザの耳等）が近接することにより静電容量が増加し、静電容量が閾値を越えると、検出信号を出力する。なお、近接センサ９は、静電容量式の近接センサに限られず、たとえば、超音波式や誘導式の近接センサであっても良い。
【００３６】
図３は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９と、近接検出部２０と、振動アクチュエータ８とを備えている。
【００３７】
記憶部１２は、ＲＯＭ、ＲＡＭ、外部メモリー等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、電話帳、地図、ゲーム、スケジュール管理、等）を含む。プログラムは、メーカによって携帯電話機１の製造時に記憶部１２に記憶される他、ユーザによって通信網や記憶媒体を介して記憶部１２に記憶される。
【００３８】
記憶部１２には、プログラムの実行の際、一時的に利用または生成されるデータを記憶するワーキング領域も含まれる。
【００３９】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９、振動アクチュエー
タ８、近接検出部２０等）を制御する。
【００４０】
表示部１３は、液晶ディスプレイ等から構成される。表示部１３は、制御部１１からの制御信号と画像信号に基づき、表示面３に画像（画面）を表示する。表示部１３は、液晶ディスプレイに限らず、有機ＥＬディスプレイ等、他の表示装置から構成されてもよい。
【００４１】
タッチ検出部１４は、表示面３への指の接触を検出するタッチパネル等から構成されている。タッチパネルは、透明なシート状に形成され、表示面３上を覆いキャビネット２の正面に配される。タッチパネルは、静電容量式、超音波式、感圧式、抵抗膜式、光検知式等、各種方式のタッチパネルであってよい。
【００４２】
タッチ検出部１４は、指が触れた表示面３上の位置をタッチ位置として検出し、検出したタッチ位置に応じた位置信号を制御部１１へ出力する。
【００４３】
ユーザは、表示面３に指を触れることにより各種のタッチ操作を行うことができる。タッチ操作の種類として、タップ操作、フリック操作、スライド操作等が挙げられる。タップ操作は、表示面３に指を接触させた後、短時間のうちに離す操作である。フリック操作は、表示面３を指で任意の方向に弾く操作である。スライド操作は、表示面３に指を接触させたまま任意の方向へ移動させる操作である。フリック操作およびスライド操作は、タッチ位置の移動を伴うタッチ操作である。
【００４４】
タッチ操作についてより具体的に説明する。たとえば、タッチ検出部１４により表示面３に対するタッチ位置が検出された後、予め定めた第１時間以内にタッチ位置が検出されなくなった場合、制御部１１によりタップ操作がなされたと判定される。タッチ検出部１４により表示面３に対するタッチ位置が検出され、予め定めた第２時間以内に予め定めた第１距離以上タッチ位置が移動した後、タッチ位置が検出されなくなった場合、制御部１１によりフリック操作がなされたと判定される。タッチ検出部１４により表示面３に対するタッチ位置が検出された後、予め定めた第２距離以上タッチ位置が移動すると、制御部１１によりスライド操作がなされたと判定される。
【００４５】
音声入力部１５は、マイクロフォン４等から構成される。音声入力部１５は、マイクロフォン４からの電気信号を音声処理部１７へ出力する。
【００４６】
音声出力部１６は、通話スピーカ５および外部スピーカ７を含む。音声出力部１６には、音声処理部１７からの電気信号が入力され、通話スピーカ５または外部スピーカ７から音（音声、報知音等）が出力される。
【００４７】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４８】
キー入力部１８は、キー操作部６の各操作キーが押下されたときに、押下された操作キーに応じた信号を制御部１１へ出力する。
【００４９】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００５０】
近接検出部２０は、近接センサ９等から構成される。近接検出部２０は、近接センサ９からの検出信号を制御部１１に出力する。
【００５１】
本実施の形態の携帯電話機１では、通話中に電子メールの受信があった場合に、受信した電子メールの内容（以下、「メール内容」という）を、振動アクチュエータ８を利用してユーザに通知するメール内容通知処理が、メール内容通知処理のための制御プログラムに従って制御部１１により実行される。
【００５２】
制御部１１は、メール内容通知処理を実行するために、契機検出部２１と、駆動制御部２２と、報知制御部２３とを備えている。
【００５３】
契機検出部２１は、ユーザにメール内容を通知するための契機となる、電子メールの受信を検出する。
【００５４】
駆動制御部２２は、振動アクチュエータ８の駆動制御を行う。駆動制御部２２は、各振動素子５１に、それぞれ個別に交流電圧を供給することにより、各振動素子５１を個別に制御する。
【００５５】
記憶部１２には、振動アクチュエータ８の駆動に用いられる振動パターンテーブル１２ａが記憶されている。図４（ａ）に、振動パターンテーブル１２ａの構成を示す。
【００５６】
振動パターンテーブル１２ａには、各種の文字と、当該文字を振動アクチュエータ８の振動面Ｓに形成するための各振動素子５１の制御データとが関連付けられて記憶されている。振動面Ｓには、図４（ｂ）に示すように、振動する振動素子５１によって文字が形成される。
【００５７】
駆動制御部２２は、契機検出部２１により電子メールの受信が検出されたことに基づいて、受信された電子メールのメール内容を表すための文字が振動面Ｓに形成されるように、振動アクチュエータ８の個々の振動素子５１を駆動する。
【００５８】
報知制御部２３は、メール内容を通知するための振動アクチュエータ８の駆動に先立って、通話スピーカ５および外部スピーカ７から報知音を出力させる。これにより、電子メールの受信がユーザに知らされるとともに、これから振動アクチュエータ８によりメール内容が通知されることがユーザに知らされる。
【００５９】
図５は、メール内容通知処理の処理手順を示すフローチャートである。図６は、振動アクチュエータ８によって、電子メールのタイトルが通知される様子を示す図である。以下、図５および図６を参照し、メール内容通知処理について説明する。
【００６０】
携帯電話機１へ電話の着信があり、ユーザが所定の応答操作を行うと通話が開始される。通話の開始により、メール内容通知処理が開始される。
【００６１】
通信部１９は、通話中も電子メールを受信する。通信部１９により電子メールが受信されると、制御部１１（契機検出部２１）が電子メールの受信を検出する（Ｓ１０１：ＹＥＳ）。制御部１１（報知制御部２３）は、通話スピーカ５および外部スピーカ７から報知音を出力することにより、電子メールの受信を報知する（Ｓ１０２）。通話スピーカ５および外部スピーカ７の双方でなく、何れか一方から報知音が出力されてもよい。
【００６２】
この電子メールの受信報知は、これから振動アクチュエータ８によってメール内容が通
知されることをユーザに知らせる予告報知を兼ねる。予告報知は、図１（ｂ）に示すように指で振動アクチュエータ８の振動面Ｓを触れるようユーザに促すための通知である。
【００６３】
制御部１１は、受信した電子メールから、通知するメール内容、たとえば、タイトルを抽出する。（Ｓ１０３）。
【００６４】
制御部１１（駆動制御部２２）は、抽出されたメール内容を表す文字が振動面Ｓに形成されるように、振動アクチュエータ８を駆動する（Ｓ１０４）。即ち、図６に示すように、制御部１１（駆動制御部２２）は、メール内容、たとえば、タイトルを構成する各文字を、順番に数秒ずつ振動面Ｓに形成させる。振動面Ｓに形成された文字は、振動面Ｓに触れたユーザの指に触覚により伝達される。ユーザは、振動面Ｓに触れた指で、順番に文字を読み取ることにより、通知されたメール内容を把握する。
【００６５】
なお、振動アクチュエータ８によりユーザに通知されるメール内容は、タイトルに限られず、差出人の名前、本文（本文の一部）等、他の内容であってもよい。これらメール内容のうち、一つが通知されてもよいし複数が通知されてもよい。
【００６６】
制御部１１は通知を終了するタイミングが到来したか否かを判定する（Ｓ１０５）。たとえば、通話が終了すると、制御部１１は通知を終了するタイミングが到来したと判定し（Ｓ１０５：ＹＥＳ）、制御部１１は、メール内容通知処理を終了する。
【００６７】
以上、本実施の形態によれば、通話中に電子メールが受信された場合に、振動アクチュエータ８によって、受信した電子メールのメール内容、即ちメール内容を表す文字を触覚によりユーザに伝達することができる。よって、ユーザは、携帯電話機１を耳元から離して表示面３を見られる状態にせずとも、メール内容を知ることが可能となる。
【００６８】
さらに、本実施の形態によれば、振動アクチュエータ８によるメール内容の通知に先立って通話スピーカ５および外部スピーカ７から報知音が出力される。そのため、ユーザは、これからメール内容が振動アクチュエータ８を介して通知されることを知ることができる。
【００６９】
＜変更例１＞
図７は、本変更例に係る、メール内容通知処理の処理手順を示すフローチャートである。図８は、本変更例に係る、振動アクチュエータ８によって、電子メールのタイトルが繰り返し通知される様子を示す図である。
【００７０】
本変更例のメール内容通知処理では、図５に示す上記実施の形態のメール内容通知処理に対してステップＳ１１１およびＳ１１２の処理が追加されている。以下、本変更例のメール内容通知処理について説明する。上記実施の形態と同じ処理については、同じステップ番号を付し、説明を省略する。
【００７１】
制御部１１は、振動アクチュエータ８によりメール内容を一通り通知し終えると（Ｓ１０４）、メール内容の通知回数が予め定めた規定回数（たとえば、３回）に到達したか否かを判定する（Ｓ１１１）。制御部１１（報知制御部２３）は、通知回数が規定回数に到達していなければ（Ｓ１１１：ＮＯ）、通話スピーカ５および外部スピーカ７から報知音を出力することにより、再び振動アクチュエータ８によりメール内容が通知されることを予告する報知を行う（Ｓ１１２）。その後、制御部１１（駆動制御部２２）は、再び、メール内容を表す文字が振動面Ｓに形成されるように、振動アクチュエータ８を駆動する（Ｓ１０４）。
【００７２】
図８に示すように、予告報知を挟んで、振動アクチュエータ８によるメール内容、たとえばタイトルの通知が繰り返される。
【００７３】
制御部１１は、通知回数が規定回数に到達すると（Ｓ１１１：ＹＥＳ）、今回のメール内容の通知を終了し、通知を終了するタイミングが到来すれば（Ｓ１０５：ＹＥＳ）、メール内容通知処理を終了する。
【００７４】
このように、本変更例では、振動アクチュエータ８によるメール内容の通知が繰り返し行われる。よって、メール内容がユーザに伝わりやすい。
【００７５】
さらに、本変更例では、次回のメール内容の通知に先立って予告報知が行われるので、次回のメール内容の通知が開始されることがユーザに分かりやすい。
【００７６】
なお、次回の通知回数に応じた予告報知が行われるようにすれば、たとえば、次が２回目のメール内容の通知であれば、“ピー、ピー”とアラーム音を２回鳴らすようにすれば、次に行われるメール内容の通知が、前回のメール内容の通知の繰り返しであることがユーザに分かりやすい。
＜変更例２＞
上記実施の形態では、受信した全ての電子メールについて、そのメール内容が振動アクチュエータ８により通知される。
【００７７】
これに対し、本変更例では、受信した電子メールが予め定められた通知条件を満たす場合に、振動アクチュエータ８によりメール内容の通知が行われる。
【００７８】
図９は、本変更例に係る、携帯電話機１の全体構成を示すブロック図である。
【００７９】
記憶部１２には、振動パターンテーブル１２ａに加えて、電話帳テーブル１２ｂが記憶されている。電話帳テーブル１２ｂには、図１０（ａ）に示すように通信相手の連絡先情報が登録されている。連絡先情報は、名前、電話番号、メールアドレス、住所、所属グループ等の通信相手に係る連絡先の情報により構成される。ユーザは、電話帳のアプリケーションを実行し、所定の登録画面を用いて通信相手毎に連絡先情報を入力する。入力された連絡先情報が電話帳テーブル１２ｂに登録される。
【００８０】
制御部１１は、契機検出部２１、駆動制御部２２および報知制御部２３に加えて、条件判定部２４を備えている。条件判定部２４は、受信した電子メール、即ち、受信した電子メールのメール内容が通知条件を満たすか否かを判定する。たとえば、電子メールの差出人（差出人のメールアドレス）が電話帳、即ち電話帳テーブル１２ｂに登録されていることが通知条件とされる。
【００８１】
また、電子メールの差出人が、メール内容を通知する差出人としてユーザに設定されていることが通知条件とされる。たとえば、ユーザにより、電話帳に登録された通信相手の一覧画面から所望の通信相手が選択されると、選択された通信相手がメール内容を通知する差出人として設定される。ユーザにより、所属グループが選択されると、選択された所属グループに属する通信相手が一括してメール内容を通知する差出人として設定されるようにしてもよい。図１０（ｂ）に示すように、電話帳テーブル１２ｂには通知フラグが設けられる。メール内容を通知する差出人として設定された通信相手の通知フラグが「１」に設定される。
【００８２】
図１１は、本変更例に係る、メール内容通知処理の処理手順を示すフローチャートである。
【００８３】
本変更例のメール内容通知処理では、図５に示す上記実施の形態のメール内容通知処理に対してステップＳ１２１の処理が追加されている。以下、本変更例のメール内容通知処理について説明する。上記実施の形態と同じ処理については、同じステップ番号を付し、説明を省略する。
【００８４】
電子メールの受信が報知されると（Ｓ１０２）、制御部１１（条件判定部２４）は、受信された電子メールが通知条件を満たすか否かを判定する（Ｓ１２１）。
【００８５】
通知条件が、電子メールの差出人の電話帳への登録である場合、受信された電子メールの差出人のメールアドレスが電話帳テーブル１２ｂに登録されていれば、通知条件が満たされたと判定される。通知条件が、メール内容を通知する差出人として設定されていることである場合、電子メールの差出人のメールアドレスが電話帳テーブル１２ｂに登録されており、且つその差出人に付された通知フラグが「１」であれば、通知条件が満たされたと判定される。
【００８６】
制御部１１（条件判定部２４）により、通知条件が満たされていると判定された場合（Ｓ１２１：ＹＥＳ）、受信された電子メールから、通知するメール内容が抽出され、振動アクチュエータ８によって通知される（Ｓ１０３、Ｓ１０４）。
【００８７】
本変更例によれば、ユーザは、通話中に受信された全ての電子メールのメール内容を、通話を継続しながら確認しなくて済み、所望の相手先からの受信メールのみその内容を知ることができる。
【００８８】
＜変更例３＞
図１２は、本変更例に係る、メール内容通知処理の処理手順を示すフローチャートである。
【００８９】
本変更例のメール内容通知処理では、図５に示す上記実施の形態のメール内容通知処理に対してステップＳ１３１の処理が追加されている。以下、本変更例のメール内容通知処理について説明する。上記実施の形態と同じ処理については、同じステップ番号を付し、説明を省略する。
【００９０】
電子メールの受信が報知されると（Ｓ１０２）、制御部１１は、近接検出部２０により物体、即ち、ユーザの耳や頬の近接が検出されているかを判定する（Ｓ１３１）。制御部１１により、ユーザの耳等の近接が検出されていると判定された場合（Ｓ１３１：ＹＥＳ）、受信された電子メールから、通知するメール内容が抽出され、振動アクチュエータ８によって通知される（Ｓ１０３、Ｓ１０４）。
【００９１】
以上、本変更例では、携帯電話機１に耳に近づけられていると考えられる場合に、メール内容が振動アクチュエータ８により通知される。即ち、携帯電話機１から耳が離されており、表示面３にメール内容を表示させて確認することが可能な状態にあるときには、振動アクチュエータ８によりメール内容の通知が行われない。よって、振動アクチュエータ８によって無駄にメール内容が通知されることを抑制できる。
【００９２】
＜変更例４＞
上記実施の形態では、通話中に電子メールが受信された際のメール内容の通知に本発明が適用されている。
【００９３】
本変更例では、アラーム設定がなされたスケジュールの予定日時が通話中に到来した際
のスケジュールの内容（以下、「スケジュール内容」という）の通知に本発明が適用される。
【００９４】
ユーザは、スケジュール管理のアプリケーションを実行し、所定の設定画面を用いて、予定日時（日付、時刻）、用件、場所、アラームの有無等の設定を行う。設定された項目は、図１３（ａ）に示すように、スケジュールテーブル１２ｃに登録される。スケジュールテーブル１２ｃは、記憶部１２に記憶されている。
【００９５】
本変更例の携帯電話機１では、アラーム設定がなされたスケジュールの予定日時が通話中に到来した場合に、スケジュール内容を、振動アクチュエータ８を利用してユーザに通知するスケジュール内容通知処理が、制御部１１により実行される。
【００９６】
契機検出部２１は、ユーザにスケジュール内容を通知するための契機となる、アラーム設定がなされたスケジュールの予定日時の到来を検出する。
【００９７】
駆動制御部２２は、契機検出部２１により予定日時の到来が検出されたことに基づいて、対象となるスケジュールのスケジュール内容を表すための文字が振動面Ｓに形成されるように、振動アクチュエータ８の個々の振動素子５１を駆動する。
【００９８】
図１３（ｂ）は、スケジュール内容通知処理の処理手順を示すフローチャートである。以下、図１３（ｂ）を参照し、スケジュール内容通知処理について説明する。
【００９９】
通話か開始されると、スケジュール内容通知処理が開始される。アラーム設定がなされたスケジュールの予定日時が到来すると、制御部１１（契機検出部２１）により、予定日時の到来が検出される（Ｓ２０１：ＹＥＳ）。制御部１１（報知制御部２３）は、通話スピーカ５および外部スピーカ７から報知音を出力することにより、予定日時の到来を報知する（Ｓ２０２）。通話スピーカ５および外部スピーカ７の双方でなく、何れか一方から報知音が出力されてもよい。
【０１００】
この予定日時の到来の報知は、これから振動アクチュエータ８によってスケジュール内容が通知されることをユーザに知らせる予告報知を兼ねる。予告報知は、図１（ｂ）に示すように指で振動アクチュエータ８の振動面Ｓを触れるようユーザに促すための通知である。
【０１０１】
制御部１１は、対象となるスケジュールに関して、スケジュールテーブル１２ｃから、通知するスケジュール内容、たとえば、用件を抽出する（Ｓ２０３）。
【０１０２】
制御部１１（駆動制御部２２）は、スケジュール内容を表す文字が振動面Ｓに形成されるように、振動アクチュエータ８を駆動する（Ｓ２０４）。ユーザは、振動面Ｓに触れた指で、振動面Ｓに順番に形成された文字を読み取ることにより、通知されたスケジュール内容を把握する。
【０１０３】
なお、振動アクチュエータ８によりユーザに通知されるスケジュール内容は、用件に限られず、場所等、他の内容であってもよい。これらスケジュール内容のうち、一つが通知されてもよいし複数が通知されてもよい。
【０１０４】
通知を終了するタイミングが到来すると（Ｓ２０５：ＹＥＳ）、制御部１１は、スケジュール内容通知処理を終了する。
【０１０５】
本変更例によれば、アラーム設定がなされたスケジュールの予定日時が通話中に到来し
た場合に、振動アクチュエータ８によって、対象となるスケジュールのスケジュール内容を触覚によりユーザに伝達することができる。よって、ユーザは、携帯電話機１を耳元から離して表示面３を見られる状態にせずとも、スケジュール内容を知ることが可能となる。
【０１０６】
さらに、本変更例によれば、振動アクチュエータ８によるスケジュール内容の通知に先立って通話スピーカ５および外部スピーカ７から報知音が出力される。そのため、ユーザは、これからスケジュール内容が振動アクチュエータ８を介して通知されることを知ることができる。
【０１０７】
＜変更例５＞
本変更例では、アラームの報知時刻が通話中に到来した際のアラームに関連付けられたメモの内容（以下、「メモ内容」という）の通知に本発明が適用される。
【０１０８】
ユーザは、アラームのアプリケーションを実行し、所定の設定画面を用いて、報知時刻、アラーム音、音量等の設定を行う。さらに、アラームに関連付けられるメモ内容を記入する。設定された項目は、図１４（ａ）に示すように、アラームテーブル１２ｄに登録される。アラームテーブル１２ｄは、記憶部１２に記憶されている。
【０１０９】
本変更例の携帯電話機１では、アラームの報知時刻が通話中に到来した場合に、アラームに関連付けられたメモ内容を、振動アクチュエータ８を利用してユーザに通知するメモ内容通知処理が、制御部１１により実行される。
【０１１０】
契機検出部２１は、ユーザにメモ内容を通知するための契機となる、アラームの報知時刻の到来を検出する。
【０１１１】
駆動制御部２２は、アラームの報知時刻の到来が検出されたことに基づいて、対象となるアラームに関連付けられたメモ内容を表すための文字が振動面Ｓに形成されるように、振動アクチュエータ８の個々の振動素子５１を駆動する。
【０１１２】
図１４（ｂ）は、メモ内容通知処理の処理手順を示すフローチャートである。以下、図１４（ｂ）を参照し、メモ内容通知処理について説明する。
【０１１３】
通話か開始されると、メモ内容通知処理が開始される。アラームの報知時刻が到来すると、制御部１１（契機検出部２１）により、報知時刻の到来が検出される（Ｓ３０１：ＹＥＳ）。制御部１１（報知制御部２３）は、通話スピーカ５および外部スピーカ７から報知音を出力することにより、アラーム報知を行う（Ｓ３０２）。通話スピーカ５および外部スピーカ７の双方でなく、何れか一方から報知音が出力されてもよい。
【０１１４】
このアラーム報知は、これから振動アクチュエータ８によってメモ内容が通知されることをユーザに知らせる予告報知を兼ねる。予告報知は、図１（ｂ）に示すように指で振動アクチュエータ８の振動面Ｓを触れるようユーザに促すための通知である。
【０１１５】
制御部１１は、対象となるアラームに関して、アラームテーブル１２ｄから、通知するメモ内容を抽出する（Ｓ３０３）。メモ内容の全部が抽出されてもよいし、メモ内容の一部が抽出されてもよい。
【０１１６】
制御部１１（駆動制御部２２）は、抽出されたメモ内容を表す文字が振動面Ｓに形成されるように、振動アクチュエータ８を駆動する（Ｓ３０４）。ユーザは、振動面Ｓに触れた指で、振動面Ｓに順番に形成された文字を読み取ることにより、通知されたメモ内容を
把握する。
【０１１７】
通知を終了するタイミングが到来すると（Ｓ３０５：ＹＥＳ）、制御部１１は、メモ内容通知処理を終了する。
【０１１８】
本変更例によれば、通話中にアラームの報知時刻が到来した場合に、振動アクチュエータ８によって、対象となるアラームに関連付けられたメモ内容を触覚によりユーザに伝達することができる。よって、ユーザは、携帯電話機１を耳元から離して表示面３を見られる状態にせずとも、メモ内容を知ることが可能となる。
【０１１９】
さらに、本変更例によれば、振動アクチュエータ８によるメモ内容の通知に先立って通話スピーカ５および外部スピーカ７から報知音が出力される。そのためユーザは、これからメモ内容が振動アクチュエータ８を介して通知されることを知ることができる。
【０１２０】
＜その他＞
以上、本発明の実施の形態および変更例について説明したが、本発明は、上記実施の形態等によって何ら制限されるものではなく、また、本発明の実施の形態も、上記以外に種々の変更が可能である。
【０１２１】
たとえば、上記実施の形態では、通話スピーカ５および外部スピーカ７からの報知音により、振動アクチュエータ８によりメール内容を知らせる際の予告報知（電子メールの受信の報知と兼用）が行われる。しかしながら、携帯電話機１がバイブレータを備える場合、バイブレータの振動により上記予告報知が行われてもよい。また、携帯電話機１がＬＥＤ等の表示灯を備える場合、表示灯の発光により上記予告報知が行われてもよい。さらに、携帯電話機１が、通話中、表示部１３のバックライトが消灯される構成である場合には、バックライトを点灯させることにより上記予告報知が行われてもよい。
【０１２２】
上記と同様に、上記変更例１のステップＳ１１２の予告報知が、バイブレータの振動、表示灯の点灯、またはバックライトの点灯により行われてもよい。また、上記変更例４の振動アクチュエータ８によりスケジュール内容を知らせる際の予告報知（予定日時の到来の報知と兼用）が、バイブレータの振動、表示灯の点灯、またはバックライトの点灯により行われてもよい。さらに、上記変更例５の振動アクチュエータ８によりメモ内容を知らせる際の予告報知（報知時刻の到来の報知と兼用）が、バイブレータの振動、表示灯の点灯、またはバックライトの点灯により行われてもよい。
【０１２３】
さらに、上記実施の形態および上記変更例１ないし上記変更例５において、メール内容、スケジュール内容またはメモ内容を表すために振動アクチュエータ８の振動面Ｓに形成される文字は、点字であってもよい。このようにすれば、ユーザは、振動面Ｓに振動で表わされる点字の各点を読みとるだけでよいため、文字を把握しやすい。
【０１２４】
さらに、上記実施の形態では、振動アクチュエータ８の振動面Ｓが、キャビネット２の裏面上部に配置されている。しかしながら、指で触れられる位置であれば、側面、正面の表示面３以外の位置等、キャビネット２のどの位置に振動面Ｓが配置されてもよい。ただし、振動アクチュエータ８の振動面Ｓが、キャビネット２の裏面上部に配置された場合、ユーザは、携帯電話機１を持った手の指（たとえば、人差し指）で、振動面Ｓに容易に触れることができる。
【０１２５】
さらに、上記実施の形態、上記変更例４および上記変更例５では、メール内容、スケジュール内容およびメモ内容を表す文字を触覚によりユーザに伝達するため、文字情報を触覚情報として出力する触覚情報出力部として、振動アクチュエータ８が用いられている。
しかしながら、文字情報を触覚情報として出力するための構成を有するものであれば、他の構成のアクチュエータが触覚情報出力部として用いられてもよい。たとえば、マトリクス状に配置され、接触面から前方に突き出すことが可能な複数のピンを備え、接触面から突き出したピンにより文字が形成されるような構成のアクチュエータが用いられてもよい。この場合、文字を形成するように突き出したピンが接触面に触れているユーザの指に当たることにより、ユーザは文字を読み取ることができる。
【０１２６】
さらに、上記変更例１ないし上記変更例３の構成は、適宜、組み合せることができる。さらに、上記変更例１ないし上記変更例３の構成およびこれらを適宜組み合せた構成を、上記変更例４の構成または上記変更例５の構成に適用することもできる。
【０１２７】
上記変更例４の構成に、上記変更例２の構成が適用される場合、たとえば、対象となるスケジュールが、スケジュール内容を通知するスケジュールとしてユーザに設定されていることが通知条件とされる。たとえば、設定画面には、日時、用件等のスケジュールに係る項目（内容）とともに通知の有無を設定するため項目が表示される。ユーザは、スケジュールに係る項目を設定する際、通知の有無を設定する。スケジュールテーブル１２ｃには通知フラグが設けられ、スケジュール内容を通知するスケジュールとして設定されたスケジュールの通知フラグが「１」に設定される。
【０１２８】
上記変更例５の構成に、上記変更例２の構成が適用される場合、たとえば、対象となるアラームが、メモ内容を通知するアラームとしてユーザに設定されていることが通知条件とされる。たとえば、設定画面には、報知時刻、アラーム音等のアラームに係る項目とともに通知の有無を設定するため項目が表示される。ユーザは、アラームに係る項目を設定する際、通知の有無を設定する。アラームテーブル１２ｄには通知フラグが設けられ、メモ内容を通知するアラームとして設定されたアラームの通知フラグが「１」に設定される。
【０１２９】
さらに、上記変更例３において、近接検出部２０によりユーザの耳等の近接が検出されない場合に、表示面３にメール内容を表示することとしてもよい。その際、メール内容を表示面３の全面に表示することとしてもよいし、表示面３の一部の領域（例えばピクト領域）にメール内容の全て、または、一部を表示することとしてもよい。
【０１３０】
上記変更例１では、規定回数だけメール内容の通知が繰り返されると、そのメール内容に関する通知が終了する。しかしながら、規定回数に到達する前に、電子メールを開封する操作が行われてメール内容が表示面３に表示された場合、そのメール内容に関する通知が終了されてもよい。さらに、電子メールを開封する操作が行われ、メール内容が表示面３に表示されるまで、そのメール内容に関する通知が繰り返し行われてもよい。
【０１３１】
さらに、上記実施の形態と、上記変更例４と、上記変更例５とが適宜組み合わされてもよい。
【０１３２】
本発明は、携帯電話機に限られず、ＰＤＡ（Personal DigitalAssistant）、タブレットＰＣ（Tablet PC）、電子書籍端末等の各種の携帯端末装置に適用可能である。
【０１３３】
この他、本発明の実施形態は、特許請求の範囲に示された技術的思想の範囲内において、適宜、種々の変更が可能である。
【符号の説明】
【０１３４】
５  通話スピーカ（報知部）
７  外部スピーカ（報知部）
８  振動アクチュエータ（触覚情報出力部）
５１  振動素子
Ｓ  振動面（接触面）
９  近接センサ
１１  制御部
１２  記憶部
１３  表示部
２０  近接検出部
２１  契機検出部
２２  駆動制御部（出力制御部）
２３  報知制御部
２４  条件判定部
【図１】
2014072558.tif 000003
【図２】
2014072558.tif 000004
【図３】
2014072558.tif 000005
【図４】
2014072558.tif 000006
【図５】
2014072558.tif 000007
【図６】
2014072558.tif 000008
【図７】
2014072558.tif 000009
【図８】
2014072558.tif 000010
【図９】
2014072558.tif 000011
【図１０】
2014072558.tif 000012
【図１１】
2014072558.tif 000013
【図１２】
2014072558.tif 000014
【図１３】
2014072558.tif 000015
【図１４】
2014072558.tif 000016